(57)【要約】  【課題】  洗浄用の装置や備品が完備され、夏冬を問わず快適で、かつ衛生的な環境の下でペットが洗える場所としての施設で、その完成に要する期間が短く、また将来的な移設も簡単にでき、加えて、洗浄に際するペットの抜け毛で排水口が詰まることを回避できるとともに、抜け毛の捕集除去も容易で、さらに管理負担を軽減でき、有料で使用に供する営業用施設として好適かつ経済的なペット洗浄用ユニットハウスを提供する。  【解決手段】  工場において１つの基礎台１上に組み立てられて一体として移動および設置可能なハウス１０に、温水シャワー機２０・排水口８・排水管９０・換気扇６５・エアコン６０・バスタブ３０・乾燥台５０・ターボドライヤー５１・真空掃除機７０などを工場においてそれぞれ予め組み込んで装備している。【選択図】      図１
2005102530.tif 000002
【特許請求の範囲】
【請求項１】
工場生産可能にユニット化され、工場において１つの基礎台上に組み立てられて一体として移動および設置可能なユニットハウスに、給湯・給水手段および排水を外部に導く排水手段と、換気または空調手段と、ペットを洗浄してシャンプーやリンスを施す洗い場としてのバスタブと、洗浄を終えたペットを乗せる乾燥台および濡れた体毛を乾燥させる乾燥手段と、真空掃除機等の清掃用機器とをそれぞれ工場において予め組み込んで装備したこと
を特徴とするペット洗浄用ユニットハウス。
【請求項２】
前記ハウスの床面を、その床に設けられ前記排水手段に連なる排水口に向けて緩やかな下り勾配となる傾斜面に形成するとともに、同床面および内周壁の床面から腰高まで範囲の壁面を散水清掃可能な防水シート張りとし、
前記バスタブを、脚付の大型タブとするとともに、その下底の排水口下に、ペットの抜け毛の捕集ネットを着脱自在に内設した大型のトラップボックスを配設するとともに、そのトラップボックスを、前記バスタブの下から引き出し可能に設け、かつ、フレキシブル管を介して前記排水手段に接続させ、適宜に前記バスタブの外側に引き出して内部の捕集ネットを取り出すことが可能な構成としたこと
を特徴とする請求項１記載のペット洗浄用ユニットハウス。
【請求項３】
前記トラップボックスの本体ケース側面に、内部の状態を視認する覗き窓を設けたこと
を特徴とする請求項２記載のペット洗浄用ユニットハウス。
【請求項４】
前記バスタブをドアイン式タブとする一方、前記乾燥手段として、出力・容量の異なる複数種のドライヤーを備えたこと
を特徴とする請求項１〜３のいずれかに記載のペット洗浄用ユニットハウス。
【請求項５】
前記給湯・給水手段または乾燥手段を、コインまたはプリペイドカードを用いて作動させる構成としたこと
を特徴とする請求項１〜４のいずれかに記載のペット洗浄用ユニットハウス。
【請求項６】
前記バスタブの即近位置にペット用のシャンプー剤とリンス剤の自動供給手段を設け、かつ、その自動供給手段を、コインまたはプリペイドカードを用いて作動させる構成としたこと
を特徴とする請求項１〜５のいずれかに記載のペット洗浄用ユニットハウス。
【発明の詳細な説明】
【技術分野】
【０００１】
本発明は、例えば犬、猫などのいわゆるペットを、夏冬を問わず快適で、かつ衛生的な環境の下で洗うことができるペット洗浄用ユニットハウスに関し、特に、有料で使用に供する営業用施設として好適なペット洗浄用ユニットハウスに関する。
【背景技術】
【０００２】
従来、犬や猫等のペットの体毛を洗うには、その多くの場合は、自宅の風呂場の洗い場にペットを入れて洗ったり、庭に設けた水道の蛇口近くでシャンプー剤等を用いて洗ったりしている。また、ペットの体毛カットや洗浄を行う専門店で洗ってもらう場合もある。
【０００３】
一方、風呂場で洗う場合には、抜け毛による排水口の閉塞や衛生上の問題が生じ易く、庭で洗う場合には、気温などの影響を直接的に受け、例えば、冬場では寒くて飼い主だけでなくペットにも辛くて負担の掛かるものとなる。また、専門店に洗浄を委託する場合には、料金に作業を行なう店員の人件費が含まれるため費用が高くなりがちである。
【０００４】
そこで、その設置現場で建屋を組み立てたのち、建屋内に洗浄用の装置・備品を組み込んでペット洗浄専用の施設とし、これにより一般の飼い主が、洗浄に必要な設備が整い、かつ気温などの影響を受けない安定した環境下でペットを洗うことができ、しかも専門店に委託する場合よりも費用を低く抑えられる有料施設の提供が試みられつつある。
【０００５】
そして、飼い主の負担を軽減できるものとして、例えば、所定空間を有し、かつ空調装置を完備した建屋内に、温水噴射および温風吹出機構を備えた複数のケージを配備し、それらの中にペットを入れて、シャンプー剤やリンス剤を添加した洗浄用の温水噴射と、すすぎ用の温水噴射と、乾燥用の温風吹き付けとによって全自動で洗浄する有料施設が実用に供されている。
【０００６】
また、飼い主が洗う一般的なものとして例えば、上記と同様の建屋内に、各々に給湯・給水手段および排水手段、ペットの洗い場、乾燥台および乾燥手段等を配備した複数の洗浄ブースを設け、かつ、その給湯・給水手段および乾燥手段に料金装置を取り付けた有料施設(例えば、特許文献１参照)が実用に供されている。
【特許文献１】特開２００３−９７０２（第２〜４頁）
【発明の開示】
【発明が解決しようとする課題】
【０００７】
しかしながら、前記従来の前者の施設のように、ケージの中にペットを入れて全自動で洗浄するものでは、飼い主の負担が少なく費用も比較的低く抑えられるものの、ペットに恐怖感を与えることがあるため、ペットが可哀想であるだけでなく、ペットとの信頼関係にも悪影響を及ぼす懸念もあるとして、その使用を忌避する飼い主が数多くいる。
【０００８】
また、前記従来の後者の施設では、飼い主が直接手洗いでペットを洗うので、上記のような問題は生じないものの、次のような問題がある。
【０００９】
まず、その建屋は、通常の家屋と同様に現場建設で建てられ、次いで、洗浄用の装置や備品等が内装として組み込まれので、その完成には比較的長い期間を要し、また将来的な移設も困難であり、これらが営業施設としての導入を進める際の阻害要因となる。また、一般に、各ブースの洗い場に配設されるバスタブやシンクタンクには、市販品が用いられているが、それらの排水口部に標準装備されているトラップでは、例えば、体毛の多い犬を洗うと、その際の抜け毛によってすぐに詰まってしまい、次の人が洗うときに排水口が詰まっていて流れ難くなるという事態が生じ易い。更に、建屋内の床は、通常、コンクリートモルタル仕上げとされ、その清掃には真空掃除機を用いるのが一般的であるが、普通、乾式の一般的な掃除だけでは、ペットから落下した微細な寄生虫の卵の除去や、ペットの失禁やマーキング行為による汚染等の除去は困難である。
【００１０】
従って、衛生的な環境を維持するには、トラップおよび床面を頻繁に清掃することが必要となり、これが有料施設として営業する際の管理負担を増加させる。
【００１１】
本発明は上述の点に鑑みてなされたもので、一般の飼い主に、洗浄用の装置や備品が完備され、夏冬を問わず快適な環境の下でペットが洗える場所としての施設を提供でき、しかも、その完成に要する期間が短く、また将来的な移設も簡単にでき、加えて、洗浄に際するペットの抜け毛で排水口が詰まることを回避できるとともに、抜け毛の捕集除去も容易であり、更に、建屋内の床の清掃も容易かつ確実に行うことができて、衛生的な環境の下でペットが洗えるだけでなく、衛生的な環境を容易に維持できて管理負担を軽減でき、有料で使用に供する営業用施設として好適かつ経済的なペット洗浄用ユニットハウスを提供するものである。
【課題を解決するための手段】
【００１２】
上記の目的を達成するために本発明の請求項１にかかるペット洗浄用ユニットハウスは、工場生産可能にユニット化され、工場において１つの基礎台上に組み立てられて一体として移動および設置可能なハウスに、給湯・給水手段および排水を外部に導く排水手段と、換気または空調手段と、ペットを洗浄してシャンプーやリンスを施す洗い場としてのバスタブと、洗浄を終えたペットを乗せる乾燥台および濡れた体毛を乾燥させる乾燥手段と、真空掃除機等の清掃用機器とをそれぞれ工場において予め組み込んで装備したことを特徴としている。
【００１３】
請求項２に記載のように、前記ハウスの床面を、その床に設けられ前記排水手段に連なる排水口に向けて緩やかな下り勾配となる傾斜面に形成するとともに、同床面および内周壁の床面から腰高まで範囲の壁面を散水清掃可能な防水シート張りとし、前記バスタブを、脚付の大型タブとするとともに、その下底の排水口下に、ペットの抜け毛の捕集ネットを着脱自在に内設した大型のトラップボックスを配設するとともに、そのトラップボックスを、前記バスタブの下から引き出し可能に設け、かつ、フレキシブル管を介して前記排水手段に接続させ、適宜に前記バスタブの外側に引き出して内部の捕集ネットを取り出すことが可能な構成とすることができる。
【００１４】
請求項３に記載のように、前記トラップボックスの本体ケース側面に、内部の状態を視認する覗き窓を設けることができる。
【００１５】
請求項４に記載のように、前記バスタブを、ドアイン式タブとする一方、前記乾燥手段として、出力・容量の異なる複数種のドライヤーを備えたものとすることができる。
【００１６】
請求項５に記載のように、前記給湯・給水手段または乾燥手段を、コインまたはプリペイドカードを用いて作動させる構成とすることができる。
【００１７】
請求項６に記載のように、前記バスタブの即近位置にペット用のシャンプー剤とリンス剤の自動供給手段を設け、かつ、その自動供給手段を、コインまたはプリペイドカードを用いて作動させる構成とすることができる。
【発明の効果】
【００１８】
上記の構成を有する請求項１にかかるペット洗浄用ユニットハウスよれば、そのハウスが、一体として移動および設置可能に組み立てられているので、任意の場所に搬送して設置でき、また１つの基礎台上に組み立てられているので、平坦に整地またはコンクリート打ちされた場所であれば、レベル調整だけの簡単な作業で設置でき、また将来的な移設も容易である。更に、給湯・給水手段や排水手段、ペットの洗い場としてのバスタブ、乾燥台や乾燥手段、換気・空調手段、真空掃除機等の装置・備品をそれぞれ工場において予め組み込んで装備しているので、現場では、水道と電源の引き込み作業および排水路との連接作業を行うだけで完成となり、直ちに使用に供することができる。つまり、工場生産可能にユニット化し、工場において、ハウス本体の組み立てから装置・備品の組み込みまでを行うので、現場で建家を組み立てて各種装置や装備品を建屋内に組み込む場合に較べて、設置完工に要する期間を大幅に短縮でき、かつ、より安価で品質的にも安定したものとすることができる。
【００１９】
請求項２記載のペット洗浄用ユニットハウスによれば、ハウスの床面を、その床に設けられ排水手段に連なる排水口に向けて緩やかな下り勾配となる傾斜面に形成するとともに、同床面および内周壁の床面から腰高まで範囲の壁面を散水清掃の可能な防水シート張りとしているので、その床面を、一般的な真空掃除機による清掃に加えて、散水による清掃、更にはモップ掛けを併用した散水清掃を行うことができ、これにより真空掃除機等による一般的な乾式掃除だけでは除去し難い汚染、例えばペットから落下した微細な寄生虫の卵や、ペットの失禁やマーキング行為による汚染等も、容易かつ確実に清掃・除去し得るものとすることができる。
【００２０】
また、ペットを洗浄する洗い場としてのバスタブを、大型タブとしているので、比較的大型のペットも容易に洗うことができる。また、そのバスタブを脚付にするとともに下底の排水口下に、ペットの抜け毛の捕集ネットを着脱自在に内設した大型のトラップボックスを配設しているので、つまり、トラップボックスの容量を大きくして抜け毛の捕集能力を高めているので、例えば、一回の洗浄で捕集した抜け毛の量が簡単に蓄積能力を超え、次の人が洗うときに排水口が詰まってしまうという事態を回避し、円滑に排水させながら次々にペットを洗い得るものとすることができる。また、そのトラップボックスは、バスタブ下から引き出し可能に設けるとともに、フレキシブル管を介して排水手段に接続させ、適宜にバスタブの外側に引き出して内部の捕集ネットを取り出すことが可能な構成としているので、例えば施設管理者等が、適時または定期的にトラップボックスを引き出して内部の捕集ネットを取り出し、捕集毛を排除して再セットないしは新品と交換して、抜け毛の捕集機能を回復させることができる。
【００２１】
従って、一般の飼い主に、気候の影響を受けず、また洗浄用の装置や備品が完備され、かつ衛生的な環境の下でペットが洗える場所としての施設を提供でき、加えて、洗浄に際するペットの抜け毛で排水口が詰まることを回避できるとともに、抜け毛の捕集除去も容易であり、更に、床の清掃も容易かつ確実に行うことができ、よって衛生的な環境を容易に維持できて管理負担を軽減でき、有料で使用に供する営業用施設として好適、かつ経済的なものとすることができる。
【００２２】
請求項３記載のペット洗浄用ユニットハウスによれば、前記トラップボックスの本体ケース側面に、内部の状態を視認する覗き窓を設けているので、例えば施設管理者等によって定期的に、その覗き窓から内部の状態を監視することで、捕集ネットで捕集した抜け毛の量が蓄積能力を超えて排水口の閉塞に至ることを事前に把握して対処し、抜け毛の捕集機能を回復・維持させることができる。
【００２３】
請求項４記載のペット洗浄用ユニットハウスによれば、洗い場としてのバスタブをドアイン式タブとしているので、大型のペット、例えば大型犬であっても、タブのドアを開けて導くことで比較的容易にタブ内に入らせて洗うことができ、また特に小さなペットの場合にはドアを開けたままとし、ペットに不安感を与えることなく洗うこともできる。また、洗浄を終えたペットの乾燥手段として、出力・容量の異なる複数種のドライヤーを備えているので、ペットの大小や体毛の特性に応じて、それぞれに適する出力・容量のものを選択し、濡れたペットの体毛を効果的に乾燥させ、その過程でグルーミングすることができる。つまり、体型の大小および体毛の特性の異なるペットを、それぞれ飼い主の手で快適に洗い、かつグルーミングしながら快適に乾かすことができる。
【００２４】
請求項５記載のペット洗浄用ユニットハウスによれば、給湯・給水手段または乾燥手段を、コインまたはプリペイドカードを用いて作動させる構成としているので、有料施設として使用に供するときの無人営業が可能となり、よって管理負担を軽減でき利用料金も低く抑えることができる。
【００２５】
請求項６記載のペット洗浄用ユニットハウスによれば、バスタブの即近位置にペット用のシャンプー剤とリンス剤の自動供給手段を設け、かつ、その自動供給手段を、コインまたはプリペイドカードを用いて作動させる構成としているので、自分のペット専用のシャンプー剤やリンス剤を準備していない利用者も、備え付けの自動供給手段からのシャンプー剤およびリンス剤を用いてペットの洗浄を行うことができる。
【発明を実施するための最良の形態】
【００２６】
以下、図面を参照して本発明の実施の形態を説明する。
【００２７】
図１〜図８は本発明の実施例にかかるペット洗浄用ユニットハウスを示すもので、図１は本例ハウスの概要構成を示す正断面図、図２は図１のＡ−Ａ断面図、図３はトラップボックスの配置状態を示す断面図、図４はトラップボックスの概要構成をその一部を切り欠いて示す斜視図、図５は床および排水溝の構成を拡大して示す断面図である。また、図６〜図８は本例ハウスの外観および外装を示し、図６は正面図、図７は図６のＢ矢視側面図、図８は背面図である。
【００２８】
本実施例のペット洗浄用ユニットハウス１０１は、図１および図２に示すように、工場で組み立てて一体として移動および設置可能な構成としたハウス１０に、ペット洗浄用の装置・備品を工場において予め組み込んで装備した構成としている。ハウス１０は、工場生産可能にユニット化された軽量鉄骨構造もので、ガラス戸２ａを組み込んだ構造用前壁２と、ガラス窓３ａ・４ａを組み込んだ両側の構造用側壁３・４と、構造用後壁５とを互いに連結させて１つの基礎台１上に互いに連結させて組み立て、次いで、それらの上に、構造用合板６ｂの上面に耐候性の鋼板６ａを積層して屋根の機能を保有させた天井６を連結させて一体化し、その内部に基礎台１によって支持させた床７を設けたものである。また一体化したハウス１０の上端寄りの４隅部それぞれに、例えばクレン等の吊手を係合させて吊り上げ移動させるための吊金具１１を設け、更に、天井６の上に飾屋根１２を配設している。
【００２９】
また、ハウス１０には、冷水への切換えが可能な温水シャワー機２０と、ペットを洗浄してシャンプーやリンスを施す洗い場としてのバスタブ３０と、洗浄を終えたペットを乗せる乾燥台５０と、濡れた体毛を乾燥させるためのターボドライヤー５１およびペッカリードライヤー５２と、内部の空調のためのエアコン６０およびロスナイ機能付き換気扇６５と、内部を清掃するための乾湿両用の真空掃除機７０とを主要な装置・備品として組み込んでいる。
【００３０】
そして、バスタブ３０は、４本の脚３1を有するとともに、前側に扉３０ａを設けたドアイン式の大型タブとし、図３に示すように、その下底の排水口３０ｂ下に大型のトラップボックス４０を配設している。
【００３１】
また、トラップボックス４０は、図３および図４に示すように、４個の車輪４３を設け、かつ本体ケース４１の下側部に設けた排水ポート４４を、フレキシブル管４５を介して後述の配置構成の排水管９０に接続させており、本体ケース４１の前面上部に設けたハンドル４６を引くことで、バスタブ３０の脚３１の上部横桁３２に設けた対のガイド３２ａに沿って前方に引き出せる構成配置としている。また、本体ケース４１の内部には、ペットの抜け毛を捕集するための捕集ネット４２を配設している。そして捕集ネット４２は、上端外周縁部を本体ケース４１の上部内周に突設した支持リム４１ａで支持するとともに、下端の４隅部を本体ケース４１の下部の４隅に突設した支持突部４１ｂで支持することで、密な網目に構成した４側面および下側面と本体ケース４１の内側面および内底面との間に所定の間隔を隔てて保持し、かつ上方に向けて着脱自在に配している。更に、本体ケース４１の前側面には、内部の状態を視認する覗き窓４７を設けている。
【００３２】
一方、図２に示すように、床７の中央部には、長方形状の排水口８を配設するとともに、その排水口８は、図５に示すように、筒状のトラップ８ａを介して後述の配置構成の排水管９０に接続させており、また床７は、基礎台１で支持させた耐食鋼板製の床基盤７ａの上にモルタル層７ｂを積層した構成とし、かつ排水口８に向けて緩やかな下り勾配となる傾斜面に形成している。
【００３３】
また、図１に示すように、床７の床面および内周壁の床面から腰高までの範囲における壁面には散水清掃の可能な防水シート９を貼り付けている。また、排水管９０は、基礎台１内に組み込み、トラップボックス４０に連結させたフレキシブル管４５および排水口８のトラップ８ａに接続させるとともに、排出口をハウス１０の背部側に位置付けている。
【００３４】
また、ハウス１０は、図６に示すように、正面側に広く開口できるガラス戸２ａを出入口として設けるとともに、図７に示すように、両側に大きなガラス窓３ａ（４ａ）を設けて採光の向上と明るい雰囲気の醸成とを図っている。また図６および図７に示すように、標識および宣伝用のロゴ文字を表示する庇テント１３を取り付けている。また図２および図８に示すように、背面側の構造用後壁５には、飾屋根１２上に突設した電気引込管８２に連なるととともに、内部に配置した分電盤８０に接続させた電気メーター８１と、給湯機２２のガス源としてのＬＰガスボンベ２５を載置・保持するボンベ受台２４とを取り付けている。そして、図７または図８に示すように、左右の構造用側壁３・４には、温水シャワー機２０に温水を供給する給湯機２２と水道引込管２３、またはエアコン６０に連なるエアコン外機６２とがそれぞれ設けられている。
【００３５】
翻って、図１および図２に示す温水シャワー機２０は、タイマー式のコインメック２０ａを内蔵し、そのコインメック２０ａに所定金額の硬貨を投入して有料で作動させる構成としている。この温水シャワー機２０とシャワーノズル２１とを繋ぐホース２１ａは、後壁５の内面に取り付けた収納具２１ｂに巻き付けて保持・収納させる。また、ターボドライヤー５１とペッカリードライヤー５２は、後壁５に埋め込んで配設したタイマー式のコインメック５３に所定金額の硬貨を投入して有料で作動させ構成としている。なお、ターボドライヤー５１は出力範囲を比較的大きくして例えば中型犬以上の比較的大型のペットの乾燥に適するものとし、またペッカリードライヤー５２は出力を比較的低くして小型のペットに適すものものとした。またエアコン６０も、後壁５に埋め込んで配設したタイマー式のコインメック６１に所定金額の硬貨を投入して有料で作動させる構成としている。
【００３６】
また、図１および図２に示すように、バスタブ３０の上方には洗剤やブラシ等を置くための合成樹脂製の棚１４を取り付け、またバスタブ３０の上方および乾燥台５０の上方には、ペットの首輪の紐を繋ぐための複数のフック金具１５を取り付けている。なお乾燥台５０の上面には、その上に乗せたペットが滑らないように凹凸を設けた図示省略のゴム板を貼着している。
【００３７】
更に、オプションとして、ペット用のシャンプー剤とリンス剤の自動販売機１６を後壁５に埋め込んで配設している。この自動販売機１６では、所定金額の硬貨を投入し、左右のボタンを選択的に押すことで、密封袋に封入されたシャンプー剤ないしはリンス剤を下部の取出口から取り出せる構成としている。
【００３８】
上記構成の本実施例のペット洗浄用ユニットハウスは、１つの基礎台上に組み付けて一体として運搬可能にしたので、任意の場所に搬送して設置でき、かつ予め平坦に整地または土間打ちされた場所であればレベル調整だけの簡単な作業で設置でき、現場では、水道と電源の引き込み工事および排水路との連接工事を行うだけで、直ちに使用に供することができる。また将来的な移設も容易である。しかも工場生産可能にユニット化し、工場において、ハウス本体の組み立てから装置・備品の組み込みまでを行うので、現場施工による場合と較べて、設置完工に要する期間を大幅に短縮でき、かつ、より安価で品質的にも安定したものとすることができる。
【００３９】
また、ペットの洗い場としてのバスタブを、ドアイン式の大型タブとしたので、比較的大型のペット、例えば大型犬であっても、タブのドアを開けて導くことで比較的容易にタブ内に入らせて洗うことができ、また特に小さなペットの場合にはドアを開けたままとし、ペットに不安感を与えることなく洗うこともできる。
【００４０】
また、バスタブを脚付にし、その下底の排水口下に大型のトラップボックスを配設したので、つまり、トラップボックスの容量を大きくして抜け毛の捕集能力を高めたので、例えば、一回の洗浄で捕集した抜け毛の量が簡単に蓄積能力を超え、次の人が洗うときに排水口が詰まってしまうという事態を回避し、円滑に排水させながら次々にペットを洗うことができる。加えて、トラップボックスは、フレキシブル管を介して排水管に接続させるとともに、車輪を設けて前方に引き出せるようにしたので、適宜にバスタブの前方側に引き出して内部の捕集ネットを取り出すことができる。また前側面に設けた覗き窓によって内部の抜け毛の捕集・集積状態を確認し、例えば施設管理者等が、適時または定期的に引き出して内部の捕集ネットを取り出し、捕集毛を排除して再セットないしは新品と交換して、機能を回復させることができる。
【００４１】
一方、ハウスの床面を、その床に設けた排水口に向けて緩やかな下り勾配となる傾斜面に形成するとともに、床面および内周壁の腰高まで範囲の壁面を散水清掃の可能な防水シート張りとしたので、床面を、一般的な真空掃除機による清掃に加えて、散水による清掃、更には洗剤を用いたモップ掛けを併用の散水清掃を行うことができ、これにより一般的な乾式掃除だけでは除去し難い汚染、例えばペットから落下した微細な寄生虫の卵や、ペットの失禁やマーキング行為による汚染等も、容易かつ確実に清掃・除去できる。
【００４２】
また、洗浄を終えたペットを乾燥させるドライヤーは、大小出力の異なるものを備えたので、ペットの大小や体毛の特性に応じて、それぞれに適するものを選択し、濡れた体毛を効果的に乾燥させ、その過程でグルーミングすることができる。つまり、体型の大小および体毛の特性の異なるペットを、それぞれ飼い主の手で快適に洗い、かつグルーミングしながら快適に乾かすことができる。
【００４３】
従って、一般の飼い主に、また洗浄用の装置や備品が完備され、夏冬を問わず快適で、かつ衛生的な環境の下でペットが洗える場所としての施設を提供でき、しかも、その完成に要する期間が短く、かつ品質的にも安定し、また将来的な移設も簡単にできる。
【００４４】
また、洗浄に際するペットの抜け毛で排水口が詰まることを回避できるとともに、抜け毛の捕集除去も容易であり、更に、床の清掃も容易かつ確実に行うことができ、よって衛生的な環境を容易に維持できる。加えて、温水シャワー機、ドライヤーおよびエアコンは、それぞれのコインメックに所定金額の硬貨を投入して作動させる構成とし、更に、バスタブの近くにペット用のシャンプー剤とリンス剤の自動販売機を取り付け、自分のペット専用のシャンプー剤やリンス剤を準備していない利用者も、その自動販売機からのシャンプー剤やリンス剤を用いて洗浄できるようにしたので、有料施設として使用に供するときの無人営業が可能となり、よって管理負担を軽減でき利用料金も低く抑えられ、有料で使用に供する営業用施設として好適、かつ経済的なものとすることができる。
【００４５】
上記に本発明の１つの実施例を挙げ、これは無人営業が可能な有料施設として好ましい実施形態によるものであるが、本発明は上記実施例に制限されるものではない。例えば上記実施例では、トラップボックスの内部に１つの捕集ネットを配したものとしたが、この捕集ネットは複数個に分割して配し、バスタブの排水口の直下に位置させたものが捕集した抜け毛で充満状態となると、他の位置あって未だ抜け毛を捕集していないものと位置換して、捕集機能を安定させるとともに、捕集ネットの取り出しや交換が容易なものとすることができる。また、例えば、エアコンは自動制御で作動するものとして良く、また例えば、機器の温水シャワー機に温水を供給する給湯機のガス源として都市ガスを用いることができ、また例えば、シャンプー剤とリンス剤の自動販売機は省略されていても良く、更にまた、設置環境によっては飾屋根を省略することもできる。
【図面の簡単な説明】
【００４６】
【図１】本発明の実施例にかかるペット洗浄用ユニットハウスの概要構成を示す正断面図である。
【図２】図１のＡ−Ａ断面図である。
【図３】トラップボックスの配置状態を示す断面図である。
【図４】トラップボックスの概要構成を一部を切り欠いて示す斜視図である。
【図５】床および排水溝の構成を拡大して示す断面図である。
【図６】ハウスの外観および外装を示す正面図である。
【図７】ハウスの外観および外装を示す図６のＢ矢視側面図である。
【図８】ハウスの外観および外装を示す背面図である。
【符号の説明】
【００４７】
１          基礎台
２          構造用前壁
２ａ        ガラス戸
３          構造用側壁
３ａ        ガラス窓
４          構造用側壁
４ａ        ガラス窓
５          構造用後壁
６          天井
６ａ        鋼板
６ｂ        構造用合板
７          床
７ａ        床基盤
７ｂ        モルタル層
８          排水口
８ａ        トラップ
９          防水シート
１０        ハウス
１１        吊金具
１２        飾屋根
１３        庇テント
１４        棚
１５        フック金具
１６        自動販売機
２０        温水シャワー機
２０ａ      コインメック
２１        シャワーノズル
２１ａ      ホース
２１ｂ      収納具
２２        給湯機
２３        水道引込管
２４        ボンベ受台
２５        ＬＰガスボンベ
３０        バスタブ
３０ａ      扉
３０ｂ      排水口
３１        脚
３２        上部横桁
３２ａ      ガイド
４０        トラップボックス
４１        本体ケース
４１ａ      支持リム
４１ｂ      支持突部
４２        捕集ネット
４３        車輪
４４        排水ポート
４５        フレキシブル管
４６        ハンドル
４７        覗き窓
５０        乾燥台
５１        ターボドライヤー
５２        ペッカリードライヤー
５３        コインメック
６０        エアコン
６１        コインメック
６２        エアコン外機
６５        ロスナイ機能付き換気扇
７０        真空掃除機
８０        分電盤
８１        電気メーター
８２        電気引込管
９０        排水管
１０１      ペット洗浄用ユニットハウス
【図１】
2005102530.tif 000003
【図２】
2005102530.tif 000004
【図３】
2005102530.tif 000005
【図４】
2005102530.tif 000006
【図５】
2005102530.tif 000007
【図６】
2005102530.tif 000008
【図７】
2005102530.tif 000009
【図８】
2005102530.tif 000010